(57)【要約】  【課題】  簡単な構成で手指の挟み込みを防止するとともに、装置の小型化も同時に実現する原稿搬送装置を提供する。  【解決手段】  原稿給紙トレイ２９は、原稿カバー３０に対し上下に回動可能に構成されており、原稿給紙トレイ２９の左右両端部の回動支点付近には、原稿給紙トレイ２９と原稿排出トレイ３１との隙間を覆うように遮蔽板２が設けられている。これにより、回動支点付近に不用意に手を差し入れても、遮蔽板２により原稿給紙トレイ２９と原稿排出トレイ３１との隙間が遮蔽されているため、原稿給紙トレイ２９を持ち上げている手を離した時に手指を挟んで怪我をするおそれがなくなる。【選択図】      図１
2006091048.tif 000002
【特許請求の範囲】
【請求項１】
シート状の原稿が積載される原稿給紙トレイと、該原稿給紙トレイの下方に間隔を隔てて配設される原稿排出トレイと、前記原稿給紙トレイ上に載置された原稿を原稿搬送経路に沿って順次搬送して前記原稿排出トレイ上に排出する原稿搬送手段と、前記原稿搬送手段を保護するとともに前記原稿給紙トレイが突設される原稿カバーと、を備え、前記原稿給紙トレイの左右両端部が前記原稿カバーに上下に回動可能に支持されて成る原稿搬送装置において、
前記原稿給紙トレイの回動支点付近に、前記原稿給紙トレイと前記原稿排出トレイとの隙間を覆う遮蔽板を設けたことを特徴とする原稿搬送装置。
【請求項２】
前記遮蔽板は、前記原稿給紙トレイが最も上方に回動した状態で前記隙間を遮蔽可能となるように前記原稿給紙トレイの少なくとも装置前面側に固定されており、前記原稿排出トレイには、前記原稿給紙トレイの下方向への回動に伴い前記遮蔽板が挿入される抜き穴を設けたことを特徴とする請求項１に記載の原稿搬送装置。
【請求項３】
前記遮蔽板は、前記原稿給紙トレイの少なくとも装置前面側に固定される第１遮蔽板と、前記第１遮蔽板に重なるように前記原稿排出トレイ又は前記原稿カバー側に固定される第２遮蔽板とから構成され、前記第１遮蔽板若しくは前記第２遮蔽板のいずれか一方には、前記原稿給紙トレイの回動方向に沿って円弧状の窓部が設けられ、他方には、前記窓部に係合するピンが固定されることを特徴とする請求項１に記載の原稿搬送装置。
【請求項４】
前記遮蔽板は、軟質材料で形成されることを特徴とする請求項１〜請求項３のいずれかに記載の原稿搬送装置。
【請求項５】
前記遮蔽板は、前記原稿カバーの一部を用いて形成されることを特徴とする請求項１に記載の画像形成装置。
【請求項６】
前記原稿給紙トレイ上の左右両側には、供給される原稿を整合して積載する原稿ガイドが設けられており、前記原稿カバーの前記原稿ガイドに対向する部分には、前記原稿ガイドを操作するための凹部を設けたことを特徴とする請求項５に記載の原稿搬送装置。
【発明の詳細な説明】
【技術分野】
【０００１】
本発明は、複写機、プリンタ、ファクシミリ等の画像形成装置に用いられ、シート原稿を画像形成装置の画像読取部に順次搬送する原稿搬送装置に関する。
【背景技術】
【０００２】
従来、電子写真プロセスを用いた複写機等の画像形成装置には、シート状の原稿を露光するために順次原稿載置台へ送り込み、露光終了後に原稿載置台上から排出するような原稿搬送装置を備えたものがある。図８は、従来の原稿搬送装置の構成を示す概略断面図である。図８において、原稿搬送装置２７は、大きくは、供給される原稿を整合して積載する原稿ガイド２９ａを備えた原稿給紙トレイ２９と、原稿載置台２５における画像読取位置Ｒの上方に位置し原稿給紙トレイ２９が突設された原稿カバー３０と、この原稿カバー３０の側方で原稿押さえ２８の上面の一部に直付けで形成された原稿排出トレイ３１とから成り、原稿給紙トレイ２９から原稿カバー３０内を経て原稿排出トレイ３１に至る原稿搬送路ｄが形成されている。
【０００３】
原稿カバー３０内には、原稿搬送路ｄに沿って上流側から順に、ピックアップローラ３２、搬送ローラ対３３、レジストローラ対３４、及び排出ローラ対３５から成る原稿搬送手段が設けられている。これらのうちで搬送ローラ対３３は、駆動ローラ３３ａと分離ローラ３３ｂとから構成されていて、分離ローラ３３ｂは回転負荷が所定トルクを下回る場合のみ駆動ローラ３３ａと逆方向に回転し、回転負荷が所定トルクを上回る場合には駆動ローラ３３ａと従動回転するようになっている。
【０００４】
レジストローラ対３４と排出ローラ対３５の間には、原稿載置台２５における画像読取位置Ｒに対向して表出したシェーディング補正用の白基準板３６と、白基準板３６の背後にあって白基準板３６を画像読取位置Ｒに向けて押圧するための原稿押圧部３６ａと、が設けられている。なお、原稿搬送路ｄは搬送ローラ対３３から画像読取位置Ｒに至る間において反転するように湾曲している。
【０００５】
また、原稿搬送路ｄには、原稿の存否を検知するための複数のセンサが適所に設けられている。例えば、原稿給紙トレイ２９の中央部には原稿検知センサＳ１が、搬送ローラ対３３の下流側には給紙センサＳ２が、排出ローラ対３５の下流側には排出センサＳ３が、それぞれ設けられている。
【０００６】
このような原稿搬送装置においては、原稿排出トレイ３１上の原稿を取り出し易くするとともに原稿搬送装置２７の全高を低く抑えるため、図９のように、原稿給紙トレイ２９は原稿カバー３０の回動支点３０ａを中心に上下に回動可能に構成されている。ユーザは原稿給紙トレイ２９を片手で持ち上げた状態で、他方の手で原稿排出トレイ３１上に排出された原稿を取り出すこととなる。そのため、原稿を取り出す方の手を回動支点３０ａ付近に不用意に差し入れると、原稿給紙トレイ２９を持ち上げている手を離した時に手指を挟んで怪我をするおそれがあった。
【０００７】
手指の挟み込みを防止する方法としては、例えば特許文献１には、スライドレール上を原稿台が移動する原稿台移動式複写機において、原稿台の外れを防止するストッパーを原稿台の内側に設けることにより、原稿台の移動時における指の挟み込みを防止する方法が開示されている。
【０００８】
しかしながら、特許文献１の方法は、スライドレール上を水平に移動する原稿台に対しては挟み込み防止効果が期待できるが、原稿給紙トレイ２９が回動支点３０ａを中心として上下に回動する図９のような原稿搬送装置には適用できなかった。また、原稿給紙トレイ２９と原稿排出トレイ３１との間に予め所定のスペースを確保しておくことも考えられるが、原稿搬送装置の全高が高くなるため、画像形成装置の小型化、コンパクト化の観点から好ましいものではなかった。
【特許文献１】特開平５−１４２６６８号公報
【発明の開示】
【発明が解決しようとする課題】
【０００９】
本発明は、上記問題点に鑑み、簡単な構成で手指の挟み込みを防止するとともに、装置の小型化も同時に実現する原稿搬送装置を提供することを目的とする。
【課題を解決するための手段】
【００１０】
上記目的を達成するために本発明は、シート状の原稿が積載される原稿給紙トレイと、該原稿給紙トレイの下方に間隔を隔てて配設される原稿排出トレイと、前記原稿給紙トレイ上に載置された原稿を原稿搬送経路に沿って順次搬送して前記原稿排出トレイ上に排出する原稿搬送手段と、前記原稿搬送手段を保護するとともに前記原稿給紙トレイが突設される原稿カバーと、を備え、前記原稿給紙トレイの左右両端部が前記原稿カバーに上下に回動可能に支持されて成る原稿搬送装置において、前記原稿給紙トレイの回動支点付近に、前記原稿給紙トレイと前記原稿排出トレイとの隙間を覆う遮蔽板を設けたことを特徴としている。
【００１１】
また本発明は、上記構成の原稿搬送装置において、前記遮蔽板は、前記原稿給紙トレイが最も上方に回動した状態で前記隙間を遮蔽可能となるように前記原稿給紙トレイの少なくとも装置前面側に固定されており、前記原稿排出トレイには、前記原稿給紙トレイの下方向への回動に伴い前記遮蔽板が挿入される抜き穴を設けたことを特徴としている。
【００１２】
また本発明は、上記構成の原稿搬送装置において、前記遮蔽板は、前記原稿給紙トレイの少なくとも装置前面側に固定される第１遮蔽板と、前記第１遮蔽板に重なるように前記原稿排出トレイ又は前記原稿カバー側に固定される第２遮蔽板とから構成され、前記第１遮蔽板若しくは前記第２遮蔽板のいずれか一方には、前記原稿給紙トレイの回動方向に沿って円弧状の窓部が設けられ、他方には、前記窓部に係合するピンが固定されることを特徴としている。
【００１３】
また本発明は、上記構成の原稿搬送装置において、前記遮蔽板は、軟質材料で形成されることを特徴としている。
【００１４】
また本発明は、上記構成の原稿搬送装置において、前記遮蔽板は、前記原稿カバーの一部を用いて形成されることを特徴としている。
【００１５】
また本発明は、上記構成の原稿搬送装置において、前記原稿給紙トレイ上の左右両側には、供給される原稿を整合して積載する原稿ガイドが設けられており、前記原稿カバーの前記原稿ガイドに対向する部分には、前記原稿ガイドを操作するための凹部を設けたことを特徴としている。
【発明の効果】
【００１６】
本発明の第１の構成によれば、原稿給紙トレイの回動支点付近に、原稿給紙トレイと原稿排出トレイとの隙間を覆う遮蔽板を設けたことにより、回動支点付近に手指が入り込むのを防ぐことができ、原稿給紙トレイを持ち上げて原稿排出トレイ上に排出された原稿を取り出す際、不意に原稿給紙トレイから手を離しても、原稿を取り出す方の手を挟んで怪我をするおそれがなくなる。
【００１７】
また、本発明の第２の構成によれば、上記第１の構成の原稿搬送装置において、原稿給紙トレイが最も上方に回動した状態で隙間を遮蔽可能となるように遮蔽板を原稿給紙トレイの少なくとも装置前面側に固定するとともに、原稿排出トレイには、原稿給紙トレイの下方向への回動に伴い遮蔽板が挿入される抜き穴を設けたことにより、原稿給紙トレイの角度によらず回動支点付近の隙間を確実に遮蔽して手指の進入を防止でき、さらに原稿給紙トレイの回動に伴い遮蔽板が原稿排出トレイ内へ収納されるため、通常の使用時に遮蔽板が邪魔にならない。
【００１８】
また、本発明の第３の構成によれば、上記第１の構成の原稿搬送装置において、遮蔽板を、原稿給紙トレイの少なくとも装置前面側に固定される第１遮蔽板と、第１遮蔽板に重なるように原稿排出トレイ又は原稿カバー側に固定される第２遮蔽板とで構成し、第１遮蔽板若しくは第２遮蔽板のいずれか一方には、原稿給紙トレイの回動方向に沿って円弧状の窓部を設け、他方には、窓部に係合するピンを固定することにより、原稿給紙トレイの角度によらず回動支点付近の隙間を確実に遮蔽するとともに、窓部をガイドとして２枚の遮蔽板がスライドするため、原稿排出トレイに抜き穴を設ける必要がなくなる。
【００１９】
また、本発明の第４の構成によれば、上記第１乃至第３の構成の原稿搬送装置において、遮蔽板を軟質材料で形成することにより、原稿を取り出す際に手指が勢いよく遮蔽板に当たっても怪我をするおそれがない。
【００２０】
また、本発明の第５の構成によれば、上記第１の構成の原稿搬送装置において、遮蔽板を原稿カバーの一部を用いて形成することにより、別途遮蔽板を付設する必要がないため、部品点数、組み立て工数を削減して原稿搬送装置の低コスト化に貢献する。
【００２１】
また、本発明の第６の構成によれば、上記第５の構成の原稿搬送装置において、原稿給紙トレイ上の左右両側に原稿ガイドが設けられている場合、原稿カバーの原稿ガイドに対向する部分に、原稿ガイドを操作するための凹部を設けることにより、原稿ガイドの調整が容易になるとともに、原稿ガイドの操作時に原稿給紙トレイと原稿カバーとの間に指を挟むおそれがなくなる。
【発明を実施するための最良の形態】
【００２２】
以下に本発明の実施形態を図面を参照して説明する。図１は第１実施形態の原稿搬送装置の外観構成を示す斜視図である。従来例の図８、図９と共通する部分には同一の符号を付して説明を省略する。図１において、原稿給紙トレイ２９の左右両端部の回動支点３０ａ（図９参照）付近には遮蔽板２が設けられており、原稿給紙トレイ２９と原稿排出トレイ３１との隙間を覆っている。なお、図１では左側の遮蔽板２のみ記載している。
【００２３】
遮蔽板２は、少なくとも装置前面側（図１の左側）に設けておけば、装置前側から原稿排出トレイ３１上に排出された原稿を取り出す際、手を回動支点３０ａ付近に差し入れて挟まれるのを防止することができる。しかし、画像形成装置の設置状況によっては、装置後側からも原稿排出トレイ３１上の原稿の取り出しが可能な場合もあるため、原稿給紙トレイ２９の左右両側に遮蔽板２を設けておくことがより好ましい。
【００２４】
図２は本実施形態の原稿搬送装置の側面図である。図２に示すように、遮蔽板２は略扇状に形成された第１遮蔽板２ａと、第２遮蔽板２ｂの２枚から構成されており、第１遮蔽板２ａは原稿給紙トレイ２９の側面に固定され、第２遮蔽板２ｂは第１遮蔽板２ａと重なるように原稿カバー３０の内面に固定されている。原稿給紙トレイ２９が上下に回動すると、第１遮蔽板２ａと第２遮蔽板２ｂとがスライドし、原稿給紙トレイ２９の角度に係わらず原稿給紙トレイ２９と原稿排出トレイ３１との隙間を確実に遮蔽する。
【００２５】
本実施形態に用いられる遮蔽板２の構成を、図３を用いて詳細に説明する。図３（ａ）は、原稿搬送装置の回動支点付近の構成を示す拡大図であり、図３（ｂ）、（ｃ）は、図３（ａ）の矢印Ｂ方向から見た矢視図である。原稿給紙トレイ２９の側面に固定された第１遮蔽板２ａには、原稿給紙トレイ２９の回動方向（矢印Ａ方向）に沿って円弧状の窓部３が設けられている。一方、原稿カバー３０の内面に固定された第２遮蔽板２ｂには、第１遮蔽板２ａの窓部３に係合する位置にピン４が突設されている。
【００２６】
原稿搬送時においては、原稿給紙トレイ２９は最下方に位置しており、図３（ｂ）のように２枚の遮蔽板２ａ、２ｂの大部分は重なり合っている。このとき、ピン４は窓部３の最上部に位置している。いま、排出された原稿を取り出すために原稿給紙トレイ２９を上方に回動させると、第１遮蔽板２ａも原稿給紙トレイ２９と共に上方に移動するため、図３（ｃ）のように２枚の遮蔽板２ａ、２ｂは大幅にずれる。しかし、ピン４は係合状態を保持しながら窓部３内を下方に移動するため、第１遮蔽板２ａは第２遮蔽板から脱離することはない。
【００２７】
この構成とすることにより、原稿を取り出す方の手を回動支点３０ａ付近に不用意に差し入れても、第１遮蔽板２ａ及び第２遮蔽板２ｂにより原稿給紙トレイ２９と原稿排出トレイ３１との隙間が遮蔽されているため、原稿給紙トレイ２９を持ち上げている手を離した時に手指を挟んで怪我をするおそれがなくなる。
【００２８】
遮蔽板２の材質としては特に制限はなく、合成樹脂、金属等の種々の材質を用いることができるが、遮蔽板２の材質に金属等の硬い材料を用いた場合、原稿排出トレイ３１上の原稿を取り出す際に、手指が勢いよく遮蔽板２に当たった場合に怪我をすることも考えられる。そのため、遮蔽板２はゴムやウレタン等の軟質材料で形成しておくことがより好ましい。また、遮蔽板２の形状や大きさについても、原稿給紙トレイ２９の大きさや回動可能な角度に応じて任意に設定することができるが、遮蔽板２の材質が軟質材料でない場合は、手指が当たっても痛くないように原稿排出方向の端部は角部のない曲面状に形成しておくことが好ましい。
【００２９】
本実施形態においては、原稿給紙トレイ２９に固定された第１遮蔽板２ａに窓部３を設け、原稿カバー３０に固定された第２遮蔽板２ｂにピン４を設けているが、第１遮蔽板２ａにピン４を設け、第２遮蔽板２ｂに窓部３を設けても良い。また、第２遮蔽板２ｂを原稿搬出トレイ３１に固定することもできる。なお、図２、図３では原稿排出方向から見て左側の構成についてのみ説明したが、右側についても全く同様に説明される。
【００３０】
図４は、本発明の第２実施形態に係る原稿搬送装置の側面図である。図２と共通する部分には同一の符号を付して説明を省略する。本実施形態においては、第１実施形態に比べて大型の遮蔽板２が原稿給紙トレイ２９に固定されており、原稿カバー３０及び原稿排出トレイ３１には遮蔽板２は設けられていない。また、遮蔽板２には窓部３及びピン４のいずれも設けられていない。
【００３１】
図５は、図４の矢印Ｂ方向から見た第１遮蔽板２ａ付近の拡大図である。図５（ａ）は、原稿給紙トレイ２９が最下方に位置している状態を示す。このとき、遮蔽板２の下部は原稿排出トレイ３１に設けられた抜き穴３１ａに挿入されている。図５（ａ）の状態から原稿給紙トレイ２９を上方に回動させると、遮蔽板２も原稿給紙トレイ２９と共に上方に移動するため、図５（ｂ）のように遮蔽板２は抜き穴３１ａから外部に引き出され、原稿給紙トレイ２９と原稿排出トレイ３１との隙間を遮蔽する。遮蔽板２は、原稿給紙トレイ２９が最上部まで回動された場合でも抜き穴３１ａから脱離しない大きさに設計されている。
【００３２】
この構成とすることにより、第１実施形態と同様に原稿給紙トレイ２９の角度によらず回動支点３０ａ付近の隙間を確実に遮蔽して手指の進入を防止でき、さらに原稿給紙トレイ２９の回動に伴い遮蔽板が原稿排出トレイ３１内へ収納されるため、原稿搬送時に遮蔽板２が邪魔にならない。また、窓部３やピン４を設ける必要がないため、第１実施形態に比べて遮蔽板２の構成も簡単になる。なお、遮蔽板２の材質及び大きさについては第１実施形態と同様であるため説明は省略する。
【００３３】
図６は、本発明の第３実施形態に係る原稿搬送装置の側面図である。図２、図４と共通する部分には同一の符号を付して説明を省略する。本実施形態においては、遮蔽板２を設ける代わりに、原稿カバー３０の左右両側を原稿給紙トレイ２９の突出方向に延設し、原稿給紙トレイ２９と原稿排出トレイ３１との隙間を遮蔽している。
【００３４】
この構成によれば、別途遮蔽板２を設けることなく手指の挟み込みを防止可能となるため、部品点数、組み立て工数を削減して原稿搬送装置の構成の簡素化、低コスト化を実現できる。なお、遮蔽板２の役割を果たす原稿カバー３０の延設部分は、原稿取り出しの際に手指が当たっても怪我をすることのないよう、図６のように曲面状に形成しておくことが好ましい。
【００３５】
本実施形態の構成では、原稿カバー３０の左右両側が原稿ガイド２９ａの外側付近まで延設されることとなる。そのため、図７（ａ）に示すように、原稿ガイド２９ａから原稿カバー３０までの間隔ｈが狭く、原稿給紙トレイ２９上に原稿をセットし、原稿ガイド２９ａを矢印Ａ方向に操作する際の操作性が悪くなる。さらに、原稿給紙トレイ２９を持ち上げて原稿ガイド２９ａの操作を行う場合は、原稿給紙トレイ２９と原稿カバー３０との隙間ｓに指を挟むおそれもある。
【００３６】
そこで、図７（ｂ）のように、原稿カバー３０の原稿ガイド２９ａに対向する部分に、原稿ガイド２９ａを操作するための凹部３０ｂを設けることが好ましい。これにより、原稿ガイド２９ａから原稿カバー３０までの間隔ｈが広くなり、原稿ガイド２９ａの操作スペースが確保されて操作が容易になるとともに、原稿給紙トレイ２９と原稿カバー３０との隙間Ｓを指が入る程度に設計しておけば、隙間ｓに指を挟んで怪我をするおそれもなくなる。
【００３７】
その他本発明は上記実施形態に限定されず、本発明の趣旨を逸脱しない範囲で種々の変更が可能である。例えば、第１実施形態に用いられる第１遮蔽板２ａに、窓部３に代えて裏面まで貫通しない溝部を設け、第２遮蔽板２ｂのピン４が溝部に係合してスライドするように構成しても良い。また、３枚以上の遮蔽板をスライドさせる構成とすることも可能である。また、第２、第３実施形態においても、装置前面側にのみ遮蔽板２を設けたり、装置前面側の原稿カバー３０のみを延設したりすることもできる。
【産業上の利用可能性】
【００３８】
本発明は、シート状の原稿が積載される原稿給紙トレイと、該原稿給紙トレイの下方に間隔を隔てて配設される原稿排出トレイと、原稿給紙トレイ上に載置された原稿を原稿搬送経路に沿って順次搬送して原稿排出トレイ上に排出する原稿搬送手段と、原稿搬送手段を保護するとともに原稿給紙トレイが突設される原稿カバーと、を備え、原稿給紙トレイの左右両端部が原稿カバーに上下に回動可能に支持されて成る原稿搬送装置において、原稿給紙トレイの回動支点付近に、原稿給紙トレイと原稿排出トレイとの隙間を覆う遮蔽板を設けたこととする。
【００３９】
これにより、回動支点付近に手指が入り込むのを遮蔽板で確実に防ぐことができ、原稿給紙トレイと原稿排出トレイとの隙間に手指を挟んで怪我をするおそれのない、安全な原稿搬送装置を簡易且つ低コストで提供することができる。さらに、原稿給紙トレイの配置を高くする必要がないため、原稿搬送装置及びそれを搭載する画像形成装置の小型化にも貢献する。
【００４０】
また、原稿給紙トレイが最も上方に回動した状態で隙間を遮蔽可能となるように遮蔽板を原稿給紙トレイの少なくとも装置前面側に固定するとともに、原稿排出トレイには、原稿給紙トレイの下方向への回動に伴い遮蔽板が挿入される抜き穴を設けたので、原稿給紙トレイの角度によらず回動支点付近の隙間を確実に遮蔽して手指の進入を防止でき、さらに原稿給紙トレイの下方向への回動に伴い遮蔽板が原稿排出トレイ内へ収納されるため、原稿給紙トレイが最も下方に位置する原稿搬送時においても遮蔽板が邪魔にならない。
【００４１】
また、遮蔽板を、原稿給紙トレイの少なくとも装置前面側に固定される第１遮蔽板と、第１遮蔽板に重なるように原稿排出トレイ又は原稿カバー側に固定される第２遮蔽板とで構成し、第１遮蔽板若しくは第２遮蔽板のいずれか一方には、原稿給紙トレイの回動方向に沿って円弧状の窓部を設け、他方には窓部に係合するピンを固定したので、２枚の遮蔽板が脱離することなく円滑にスライドし、原稿排出トレイに抜き穴を設ける必要もなくなる。
【００４２】
また、遮蔽板を軟質材料で形成したので、手指が勢いよく遮蔽板に当たっても怪我をするおそれがない。
【００４３】
また、遮蔽板を原稿カバーの一部を用いて形成したので、別途遮蔽板を付設する必要がなくなり、部品点数、組み立て工数を削減して原稿搬送装置の低コスト化に貢献する。さらに、原稿給紙トレイ上に原稿ガイドが設けられている場合、原稿カバーの原稿ガイドに対向する部分に、原稿ガイドを操作するための凹部を設けることにより、原稿ガイドの調整が容易になるとともに、原稿ガイドの操作時に原稿給紙トレイと原稿カバーとの間に指を挟むおそれがなくなる。
【図面の簡単な説明】
【００４４】
【図１】は、本発明の第１実施形態に係る原稿搬送装置の構成を示す斜視図である。
【図２】は、原稿搬送装置の構成を示す側面断面図である。
【図３】は、原稿搬送装置の遮蔽板付近の構成を示す側面及び正面拡大図である。
【図４】は、本発明の第２実施形態に係る原稿搬送装置の構成を示す側面断面図である。
【図５】は、原稿搬送装置の遮蔽板付近の構成を示す正面拡大図である。
【図６】は、本発明の第３実施形態に係る原稿搬送装置の構成を示す側面断面図である。
【図７】は、原稿搬送装置の原稿ガイド付近の構成を示す部分平面図である。
【図８】は、従来の原稿搬送装置の構成を示す断面図である。
【図９】は、従来の原稿搬送装置の構成を示す側面図である。
【符号の説明】
【００４５】
２        遮蔽板
２ａ      第１遮蔽板
２ｂ      第２遮蔽板
３        窓部
４        ピン
２７      原稿搬送装置
２９      原稿給紙トレイ
２９ａ    原稿ガイド
３０      原稿カバー
３０ａ    回動支点
３０ｂ    凹部
３１      原稿排出トレイ
３１ａ    抜き穴
ｄ        原稿搬送路
【図１】
2006091048.tif 000003
【図２】
2006091048.tif 000004
【図３】
2006091048.tif 000005
【図４】
2006091048.tif 000006
【図５】
2006091048.tif 000007
【図６】
2006091048.tif 000008
【図７】
2006091048.tif 000009
【図８】
2006091048.tif 000010
【図９】
2006091048.tif 000011